(57)【要約】【課題】資金を借りることができる店舗を携帯端末を用いて簡単に知ることができるようにする。【解決手段】店舗案内装置１０は、携帯端末２０ｋより受信した案内要求に付加されている基地局３０ｉの識別情報を判別したのち、判別された基地局識別情報に対応付けられている店舗識別情報を、予め記憶されている、携帯端末２０ｋとの間の通信を中継する各基地局３０ｉを特定する基地局識別情報とその基地局の通信圏内に存在する店舗を特定する店舗識別情報とを対応付ける記憶情報に基づいて特定する。店舗案内装置１０は、特定した店舗識別情報を要求元の携帯端末２０ｋに送信し、送信した店舗識別情報のうちから、携帯端末上でユーザにより選択された店舗の店舗識別情報を受信する。次に、店舗案内装置１０は、受信した店舗識別情報により特定される店舗案内情報を、予め記憶する各店舗の店舗案内情報の中から読み出して携帯端末２０ｋに送信する。【選択図】　図２
2004046378.tif 000002
【特許請求の範囲】
【請求項１】
個人向け融資を行う店舗の店舗案内情報をユーザの携帯端末に提供するための店舗案内装置であって、
ユーザが携帯する携帯端末との間の通信を中継する各基地局を特定する基地局識別情報とその基地局の通信圏内に存在する店舗を特定する店舗識別情報とを対応付けて記憶する店舗情報記憶手段と、
各店舗の案内情報を記憶する店舗案内情報記憶手段と、
携帯端末より、店舗案内を要求する案内要求情報を、いずれかの前記基地局を介して受信する案内要求受信手段と、
受信した案内要求情報を中継した基地局の基地局識別情報を判別する基地局識別情報判別手段と、
判別された基地局識別情報に対応付けられている店舗識別情報を、前記店舗情報記憶手段の記憶情報に基づいて特定する特定手段と、
特定された店舗識別情報を要求元の携帯端末に送信する店舗識別情報送信手段と、
送信した店舗識別情報のうちから、携帯端末上でユーザにより選択された店舗の店舗識別情報を受信する店舗識別情報受信手段と、
受信した前記店舗識別情報により特定される店舗の店舗案内情報を前記店舗案内情報記憶手段から読み出して前記携帯端末に送信する店舗案内情報送信手段と、
を備えることを特徴とする店舗案内装置。
【請求項２】
各店舗の位置を示す地図を記憶する地図記憶手段と、
前記店舗識別情報受信手段により受信した店舗識別情報により特定される店舗の地図を前記地図記憶手段より読み出して、要求元の携帯端末に送信する地図送信手段と、
をさらに備えることを特徴とする請求項１に記載の店舗案内装置。
【請求項３】
ユーザが融資を受ける際の注意事項についての内容を記憶する注意事項内容記憶手段と、
ユーザにより指定された注意事項を、前記基地局を介して受信する注意事項受信手段と、
受信した前記注意事項の内容を、前記注意事項内容記憶手段から読み出し、前記基地局を介して要求元の携帯端末に送信する注意事項内容送信手段と、
をさらに備えることを特徴とする請求項１又は２に記載の店舗案内装置。
【請求項４】
ユーザからの融資依頼に対して融資を行うか否かの判定の基準を示す判定基準情報を記憶する融資判定情報記憶手段と、
融資の判定に用いられるユーザ情報を、前記基地局を介して受信するユーザ情報受信手段と、
前記融資判定情報記憶手段に記憶されている判定基準情報を参照し、受信した前記ユーザ情報から前記融資依頼に対する融資の判定を行う融資判定手段と、
前記融資判定手段により判定された融資の判定結果を、前記基地局を介して融資依頼元の携帯端末に送信する融資判定結果送信手段と、
をさらに備えることを特徴とする請求項１乃至３のいずれか１項に記載の店舗案内装置。
【請求項５】
個人向け融資を行う店舗の店舗案内情報をユーザの携帯端末に提供するための店舗案内方法であって、
携帯端末より、店舗案内を要求する案内要求情報を、いずれかの前記基地局を介して受信し、
受信した案内要求情報に付加されている、ユーザが携帯する携帯端末との間の通信を中継する各基地局を特定する基地局識別情報を判別し、
判別された基地局識別情報に対応付けられている店舗識別情報を、予め記憶する、前記基地局識別情報とその基地局の通信圏内に存在する店舗を特定する店舗識別情報とを対応付けた記憶情報に基づいて特定し、
特定した店舗識別情報を要求元の携帯端末に送信し、
送信した店舗識別情報のうちから、携帯端末上でユーザにより選択された店舗の店舗識別情報を受信し、
受信した前記店舗識別情報により特定される店舗の店舗案内情報を、予め記憶する、各店舗の案内情報から読み出して前記携帯端末に送信することを特徴とする店舗案内方法。
【請求項６】
融資の判定に用いられるユーザ情報を、前記基地局を介して受信し、
予め記憶されている、ユーザからの融資依頼に対して融資を行うか否かの判定の基準を示す判定基準情報を参照し、受信した前記ユーザ情報から前記融資依頼に対する融資の判定を行い、
判定した融資の判定結果を、前記基地局を介して融資依頼元の携帯端末に送信する、
ことを特徴とする請求項５に記載の店舗案内方法。
【請求項７】
携帯端末より、店舗案内を要求する案内要求情報を、いずれかの前記基地局を介して受信する手順、
受信した案内要求情報を中継した基地局の基地局識別情報を判別する手順、
判別された基地局識別情報に対応付けられている店舗識別情報を、予め記憶されている、ユーザが携帯する携帯端末との間の通信を中継する各基地局を特定する基地局識別情報とその基地局の通信圏内に存在する店舗を特定する店舗識別情報とを対応付ける記憶情報に基づいて特定する手順、
特定された店舗識別情報を要求元の携帯端末に送信する手順、
送信した店舗識別情報のうちから、携帯端末上でユーザにより選択された店舗の店舗識別情報を受信する手順、
受信した前記店舗識別情報により特定される店舗の店舗案内情報を、予め記憶されている各店舗の案内情報から読み出して前記携帯端末に送信する手順、
をコンピュータに実行させるプログラム。
【発明の詳細な説明】
【０００１】
【発明の属する技術分野】
この発明は、個人向け融資を行う店舗の案内を、基地局を介してユーザに提供する店舗案内装置、店舗案内方法、及びプログラムに関する。
【０００２】
【従来の技術】
近年、基地局を介して情報を伝達する携帯端末、例えば携帯電話が広く普及している。このように広く携帯電話が普及するに従って、サービスを提供するサイトから基地局を介してユーザが所望する情報を携帯電話に提供するというサービスも広く行われている。
ところで、手持ちの資金が不足し、緊急に少額の資金を借りたい場合に、近くにある少額資金を借りることができる店舗を、携帯端末を用いて簡単に知ることができれば便利である。
【０００３】
【発明が解決しようとする課題】
しかしながら、携帯端末が広く普及した現在においても、携帯電話を使用して店舗をユーザに知らせるシステムが存在していない。
【０００４】
この発明は、上述した課題に鑑み、資金を借りることができる店舗を携帯端末を用いて簡単に知ることができる店舗案内装置等を提供することを目的とする。
【０００５】
【課題を解決するための手段】
前記目的を達成するために、この発明の第１の観点に係る店舗案内装置は、
個人向け融資を行う店舗の店舗案内情報をユーザの携帯端末に提供するための店舗案内装置であって、
ユーザが携帯する携帯端末との間の通信を中継する各基地局を特定する基地局識別情報とその基地局の通信圏内に存在する店舗を特定する店舗識別情報とを対応付けて記憶する店舗情報記憶手段と、
各店舗の案内情報を記憶する店舗案内情報記憶手段と、
携帯端末より、店舗案内を要求する案内要求情報を、いずれかの前記基地局を介して受信する案内要求受信手段と、
受信した案内要求情報を中継した基地局の基地局識別情報を判別する基地局識別情報判別手段と、
判別された基地局識別情報に対応付けられている店舗識別情報を、前記店舗情報記憶手段の記憶情報に基づいて特定する特定手段と、
特定された店舗識別情報を要求元の携帯端末に送信する店舗識別情報送信手段と、
送信した店舗識別情報のうちから、携帯端末上でユーザにより選択された店舗の店舗識別情報を受信する店舗識別情報受信手段と、
受信した前記店舗識別情報により特定される店舗の店舗案内情報を前記店舗案内情報記憶手段から読み出して前記携帯端末に送信する店舗案内情報送信手段とを備えることを特徴とする。
【０００６】
このような構成によれば、資金を借りることができる店舗を携帯端末を用いて簡単に知ることができる。
【０００７】
各店舗の位置を示す地図を記憶する地図記憶手段と、
前記店舗識別情報受信手段により受信した店舗識別情報により特定される店舗の地図を前記地図記憶手段より読み出して、要求元の携帯端末に送信する地図送信手段とをさらに備えるようにしてもよい。
このことにより、一層簡単にユーザに店舗の所在位置を知らせることができる。
【０００８】
ユーザが融資を受ける際の注意事項についての内容を記憶する注意事項内容記憶手段と、
ユーザにより指定された注意事項を、前記基地局を介して受信する注意事項受信手段と、
受信した前記注意事項の内容を、前記注意事項内容記憶手段から読み出し、前記基地局を介して要求元の携帯端末に送信する注意事項内容送信手段とをさらに備えるようにしてもよい。
このことにより、少額資金の借り入れ手続を短縮することができる。
【０００９】
ユーザからの融資依頼に対して融資を行うか否かの判定の基準を示す判定基準情報を記憶する融資判定情報記憶手段と、
融資の判定に用いられるユーザ情報を、前記基地局を介して受信するユーザ情報受信手段と、
前記融資判定情報記憶手段に記憶されている判定基準情報を参照し、受信した前記ユーザ情報から前記融資依頼に対する融資の判定を行う融資判定手段と、
前記融資判定手段により判定された融資の判定結果を、前記基地局を介して融資依頼元の携帯端末に送信する融資判定結果送信手段とをさらに備えるようにしてもよい。
このことにより、少額資金の借り入れ審査を迅速に行うことができる。
【００１０】
また、この発明の第２の観点に係る店舗案内方法は、
個人向け融資を行う店舗の店舗案内情報をユーザの携帯端末に提供するための店舗案内方法であって、
携帯端末より、店舗案内を要求する案内要求情報を、いずれかの前記基地局を介して受信し、
受信した案内要求情報に付加されている、ユーザが携帯する携帯端末との間の通信を中継する各基地局を特定する基地局識別情報を判別し、
判別された基地局識別情報に対応付けられている店舗識別情報を、予め記憶する、前記基地局識別情報とその基地局の通信圏内に存在する店舗を特定する店舗識別情報とを対応付けた記憶情報に基づいて特定し、
特定した店舗識別情報を要求元の携帯端末に送信し、
送信した店舗識別情報のうちから、携帯端末上でユーザにより選択された店舗の店舗識別情報を受信し、
受信した前記店舗識別情報により特定される店舗の店舗案内情報を、予め記憶する、各店舗の案内情報から読み出して前記携帯端末に送信することを特徴とする。
【００１１】
このような構成によれば、資金を借りることができる店舗を携帯端末を用いて簡単に知ることができる。
【００１２】
融資の判定に用いられるユーザ情報を、前記基地局を介して受信し、
予め記憶されている、ユーザからの融資依頼に対して融資を行うか否かの判定の基準を示す判定基準情報を参照し、受信した前記ユーザ情報から前記融資依頼に対する融資の判定を行い、
判定した融資の判定結果を、前記基地局を介して融資依頼元の携帯端末に送信するようにしてもよい。
このことにより、少額資金の借り入れ審査を迅速に行うことができる。
【００１３】
また、この発明の第３の観点に係るプログラムは、
携帯端末より、店舗案内を要求する案内要求情報を、いずれかの前記基地局を介して受信する手順、
受信した案内要求情報を中継した基地局の基地局識別情報を判別する手順、
判別された基地局識別情報に対応付けられている店舗識別情報を、予め記憶されている、ユーザが携帯する携帯端末との間の通信を中継する各基地局を特定する基地局識別情報とその基地局の通信圏内に存在する店舗を特定する店舗識別情報とを対応付ける記憶情報に基づいて特定する手順、
特定された店舗識別情報を要求元の携帯端末に送信する手順、
送信した店舗識別情報のうちから、携帯端末上でユーザにより選択された店舗の店舗識別情報を受信する手順、
受信した前記店舗識別情報により特定される店舗の店舗案内情報を、予め記憶されている各店舗の案内情報から読み出して前記携帯端末に送信する手順、
をコンピュータに実行させる。
【００１４】
このような構成によれば、資金を借りることができる店舗を携帯端末を用いて簡単に知ることができる。
【００１５】
【発明の実施の形態】
以下、この発明の実施の形態に係る店舗案内装置を説明する。
【００１６】
図１は、この発明の実施形態に係る店舗案内装置の構成を示すブロック図である。
この店舗案内装置１０は、個人向けに融資を行う店舗をユーザに案内する装置であって、図２に示すように、電話網４０を介して基地局３０ｉ（ｉ＝１，２，・・・，ｍ）と接続されている。
なお、店舗の案内をリクエストするユーザにより携帯されている携帯端末２０ｋ（ｋ＝１，２，・・・，ｎ）は基地局３０ｉと無線接続されている。
【００１７】
店舗案内装置１０は、図１に示すように、制御部１１と、内部記憶部１２と、入力部１３と、表示部１４と、外部記憶部１５と、通信制御部１６とから構成され、各部はバス１７に接続されている。
制御部１１は、ＣＰＵ（Ｃｅｎｔｒａｌ　Ｐｒｏｃｅｓｓｉｎｇ　Ｕｎｉｔ）により構成され、制御プログラムに従った処理を実行する。
例えば、１）制御部１１は、少額資金の借入を希望するユーザに店舗を案内する。
２）制御部１１は、ユーザの要求に応じて案内した店舗の地図をユーザの携帯端末に送信する。
３）制御部１１は、少額資金の借入において必要となる注意事項をユーザに提供する。
４）制御部１１は、少額資金の借入診断を行う。
【００１８】
内部記憶部１２は、ＲＯＭ（Ｒｅａｄ　Ｏｎｌｙ　Ｍｅｍｏｒｙ）、ＲＡＭ（Ｒａｎｄｏｍ　Ａｃｃｅｓｓ　Ｍｅｍｏｒｙ）等を備え、上記制御プログラムを記憶するとともに、制御部１１の作業領域に使用される。
【００１９】
入力部１３は、キーボード、マウス等を備え、キーボードの押下信号を制御部１１に出力するとともに、マウスの操作信号を制御部１１に出力する。また、入力部１３は、携帯端末２０ｋより入力されたデータ等を制御部１１に出力する。表示部１４は、液晶表示装置等により構成され、制御部１１から出力された表示データに従った画面を表示する。
【００２０】
外部記憶部１５は、ハードディスク装置等から構成され、店舗ＤＢ１５１、基地局ファイル１５２、地図ＤＢ１５３、顧客ＤＢ１５４、債権ＤＢ１５５、審査基準ファイル１５６、ＷｅｂページＤＢ１５７を備える。
【００２１】
店舗ＤＢ１５１は、店舗形態を示すデータ（以下、店舗形態データという）を記憶する。
店舗形態データは、図３（ａ）に示すように、店舗名、所在地、電話番号、店舗の形態等からなるデータ項目を備えている。
上記店舗形態には、１）ＡＴＭ（Ａｕｔｏｍａｔｉｃ　Ｔｅｌｌｅｒｓ　Ｍａｃｈｉｎｅ）が設置され、店頭窓口がない店舗形態、２）店頭窓口がある店舗形態、３）借入審査装置が設置され、店頭窓口がない店舗形態がある。
【００２２】
基地局ファイル１５２は、図３（ｂ）に示すように、基地局３０ｉを識別する基地局ＩＤ、当該基地局について携帯端末２０ｋと通信が可能な通信圏に存在する店舗名等を備えるデータ（以下、店舗名データという）を記憶する。
【００２３】
地図ＤＢ１５３は、店舗データに示された店舗の位置を表示する地図を記憶する。
【００２４】
顧客ＤＢ１５４は、各店舗から収集された顧客データを記憶する。顧客データは、図３（ｃ）に示すように、顧客名、締日付、年齢、性別、職種、年収、既婚・未婚、住所、電話番号等のデータ項目を備える。
【００２５】
債務ＤＢ１５５は、顧客が保有する債務（借入）の内容を示すデータ（以下、債務データという）を記憶する。債務データは、図３（ｄ）に示すように、顧客名、締日付、自社借入額、他社借入額等のデータ項目を備える。
【００２６】
審査基準ファイル１５６は、借入の診断を行う際に使用されるデータ（以下、診断データという）を記憶する。診断データは、図３（ｅ）に示すように、年齢別の貸付限度額、年収別の貸付限度額、職種別の貸付限度額からなるデータ項目を備える。
【００２７】
ＷｅｂページＤＢ１５７は、ユーザに店舗を案内する際に必要となる後述するＷｅｂページを記憶する。
【００２８】
図１に示す通信制御部１６は、基地局３０ｉとの間でデータの送受信に関する通信制御を行う。
【００２９】
携帯端末２０ｋは、メーラ及びブラウザ機能を備え、制御部、記憶部、入力部、表示部、及び通信制御部（これらは図示せず）から構成されている。
制御部は、ＣＰＵを備え、制御部プログラムに従った処理を行う。
入力部は、文字、数字等を入力するキー、選択キー、実行キー等を備え、キーの押下信号を制御部に出力する。
表示部は、液晶表示装置により構成され、制御部から出力された表示データに従った画面を表示する。
通信制御部は、基地局３０ｉとの間で行われるデータの送受信に関する通信制御を行う。
【００３０】
基地局３０ｉは、携帯端末２０ｋとの間で無線によりデータの送受信を行うとともに、店舗案内装置１０との間で電話網４０を介してデータの送受信を行う。
【００３１】
次に、この実施形態に係る店舗案内装置の動作を、１）少額資金の借入を希望するユーザに店舗を案内する処理、２）初めて少額資金の借入を行うときに必要となる注意事項をユーザに提供する処理、３）少額資金の借入診断を行う処理に分けて説明する。
【００３２】
１）少額資金の借入を希望するユーザに店舗を案内する処理について
図４は、少額資金の借入を希望するユーザに店舗を案内するときの実施形態の店舗案内装置と携帯端末との動作を示すフローチャートである。
【００３３】
携帯端末２０ｋは、持ち合わせがなくなり、少額資金の借入を希望するユーザの操作により、個人向け融資サービスを行うホームページ（図示せず）を表示部に表示する。その後、携帯端末２０ｋは、ユーザの操作によりホームページ中で表示されているＡＴＭ・店舗検索の項目が選択キーより選択され、実行キーが押下されると、その項目が選択された旨の情報を基地局３０ｉ及び電話網４０を介して店舗案内装置１０に送信する（ステップＳ１）。
【００３４】
店舗案内装置１０が上記項目が選択された旨の情報を受信すると、制御部１１は、ＷｅｂページＤＢ１５７に記憶されている、図７に示すＷｅｂページ１００を読み出し、読み出したＷｅｂページ１００を電話網４０及び基地局３０ｉを介して携帯端末２０ｋに送信する（ステップＳ２）。
【００３５】
図７に示すＷｅｂページ１００は、１）店舗を検索するための選択項目を表示する店舗検索表示領域１０１と、２）店舗形態及び検索方法により絞り込んで店舗を検索するための選択項目を表示する店舗検索表示領域１０２と、３）「検索」ボタン１０３と、４）トップページに移行させる項目１０４とを備えている。店舗検索表示領域１０１に表示されている選択項目は、ユーザがいる付近のエリアにある店舗を検索するための「付近のエリアから」項目、所定の地域にある店舗を検索するための「地域から」項目、最寄り駅から店舗を検索するための「最寄駅から」項目を備える。
【００３６】
店舗検索表示領域１０２に表示されている店舗形態による選択項目は、借入を希望する際に借入審査装置を希望する「借入審査装置」項目と、ＡＴＭを希望する「ＡＴＭ」項目を備える。また、店舗検索表示領域１０２に表示されている検索方法による選択項目は、付近のエリア店舗から店舗を検索するための「付近のエリアから」項目、所定の地域における店舗を検索するための「地域から」項目、最寄り駅から店舗を検索するための「最寄駅から」項目を備える。
【００３７】
携帯端末２０ｋは、上記Ｗｅｂページ１００を受信すると、表示部にこのＷｅｂページ１００を表示する。その後、ユーザが、例えば、携帯端末２０ｋに表示されているＷｅｂページ１００に表示れている店舗検索表示領域１０１に表示されている「付近のエリアから」と表示された選択項目を選択キーを用いて選択し、実行キーを押下すると、携帯端末２０ｋは、この検索項目が選択された旨の情報を基地局３０ｉ及び電話網４０を介して店舗案内装置１０に送信する（ステップＳ３）。
【００３８】
すると、店舗案内装置１０の制御部１１は、図８に示すＷｅｂページ２００をＷｅｂページＤＢ１５７より読み出し、読み出したＷｅｂページ２００を基地局３０ｉを介して携帯端末２０ｋに送信する（ステップＳ４）。
このＷｅｂページ２００は、ユーザの現在位置を示す情報を店舗案内装置１０に要求するときに必要とされるものであって、「現在位置取得」ボタン２０１が設けられている。
【００３９】
携帯端末２０ｋは、上記Ｗｅｂページ２００を受信すると、表示部にこれを表示する。その後、携帯端末２０ｋは、ユーザの操作により「現在位置取得」ボタン２０１が選択キーにより選択されたのち実行キーが押下されると、「現在位置取得」ボタン２０１が選択された旨の情報を基地局３０ｉを介して店舗案内装置１０に送信する（ステップＳ５）。
【００４０】
店舗案内装置１０が上記情報を受信すると、制御部１１は、受信した情報から、この情報を送信した基地局３０ｉを識別する基地局ＩＤ（基地局情報）を読み出し、読み出した基地局ＩＤの通信圏の名称（例えば神田）を基地局ファイル１５２より読み出す。その後、制御部１１は、図９に示すユーザの現在地を知らせるＷｅｂページ３００をＷｅｂページＤＢ１５７から読み出し、読み出したＷｅｂページ３００を基地局３０ｉを介して携帯端末２０ｋに送信する（ステップＳ６）。
【００４１】
携帯端末２０ｋは、上記Ｗｅｂページ３００を受信すると、これを表示部に表示する。その後、携帯端末２０ｋは、ユーザの操作により、「ＯＫ」ボタン３０１が選択キーにより選択され、実行キーが押下されると、「ＯＫ」ボタン３０１が選択された旨の情報を基地局３０ｉを介して店舗案内装置１０に送信する（ステップＳ７）。
【００４２】
店舗案内装置１０が上記情報を基地局３０ｉを介して受信すると、制御部１１は、基地局ファイル１５２を参照し、当該基地局３０ｉの店舗名データを読み出す。次に、制御部１１は、上記店舗名データから店舗名の全てを読み出し、上記通信圏内に在る店舗を表示する、図１０に示すＷｅｂページ４００を生成し、生成したＷｅｂページを基地局３０ｉを介して携帯端末２０ｋに送信する（ステップＳ８）。
【００４３】
携帯端末２０ｋは、上記Ｗｅｂページ４００を受信すると、表示部にこれを表示する。その後、携帯端末２０ｋは、ユーザの操作により、例えば「神田南口支店」を表示する項目４０１が選択キーにより選択され、実行キーが押下されると、「神田南口支店」を表示する項目が選択された旨の情報を、基地局３０ｉを介して店舗案内装置１０に送信する（ステップＳ９）。
【００４４】
店舗案内装置１０が上記情報を受信すると、制御部１１は、ＷｅｂページＤＢ１５７に記憶されている、神田南口支店の店舗案内を表示する図１１に示すＷｅｂページ５００を読み出す。その後、制御部１１は、読み出した上記Ｗｅｂページ５００を基地局３０ｉを介して携帯端末２０ｉに送信する（ステップＳ１０）。
【００４５】
携帯端末２０ｋは、上記Ｗｅｂページ５００を受信すると、表示部に上記Ｗｅｂページ５００を表示する。その後、携帯端末２０ｋは、ユーザの操作により、「地図を見る」ボタン５０１が選択キーにより選択され、実行キーが押下されると、「地図を見る」ボタン５０１が選択された旨の情報を基地局３０ｉを介して店舗案内装置１０に送信する（ステップＳ１１）。
【００４６】
店舗案内装置１０の制御部１１は、上記情報を受信すると、ＷｅｂページＤＢ１５７から、図１２に示す神田南口支店の位置が示されている地図が表示されているＷｅｂページ６００を読み出し、読み出したＷｅｂページ６００を基地局３０ｉを介して携帯端末２０ｋに送信し（ステップＳ１２）、処理を終了する。
【００４７】
携帯端末２０ｋは、上記Ｗｅｂページ６００を受信すると、これを表示部に表示し（ステップＳ１３）、処理を終了する。
【００４８】
なお、ステップＳ８において、基地局３０ｉの通信圏内に店舗が存在しない場合には、店舗案内装置１０の制御部１１は、店舗が見付からない旨を表示する図１３に示すＷｅｂページ７００をＷｅｂページＤＢ１５７から読み出し、このＷｅｂページ７００を基地局３０ｉを介して携帯端末２０ｋに送信する。
【００４９】
携帯端末２０ｋは、上記Ｗｅｂページ７００を受信すると、これを表示部に表示する。その後、ユーザの操作により、Ｗｅｂページ７００に表示されている「表示する」と表示されている項目７０１が選択キーにより選択され、実行キーが押下されると、上記項目が選択された旨の情報を店舗案内装置１０に送信する。
【００５０】
店舗案内装置１０の制御部１１は、携帯端末２０ｋを管轄する基地局３０ｉと隣接する基地局における店舗名を表示するＷｅｂページを、上述したステップＳ８と同様にして生成して携帯端末２０ｋに送信する。
【００５１】
次に、２）少額資金の借入において必要となる注意事項をユーザに提供する処理について
図５は、初めて少額資金の借入を行うときに必要となる注意事項をユーザに提供するときの店舗案内装置及び携帯端末の動作を示すフローチャートである。
【００５２】
店舗案内の情報を表示する図１１に示すＷｅｂページ５００を閲覧したユーザが、少額資金の借入を今までに行ったことがない人であり、このユーザの操作によりこのＷｅｂページ５００に表示されている「初めての方はこちらから」ボタン５０２が選択キーにより選択され、実行キーによりクリックされると、携帯端末２０ｋは、「初めての方はこちらから」ボタン５０２が選択された旨の情報を、基地局３０ｉを介して店舗案内装置１０に送信する（ステップＳ２１）。
【００５３】
店舗案内装置１０の制御部１１は、上記情報を受信すると、図１４に示すＷｅｂページ８００をＷｅｂページＤＢ１５７から読み出し、読み出したＷｅｂページ８００を基地局３０ｉを介して携帯端末２０ｋに送信する（ステップＳ２２）。
【００５４】
上記Ｗｅｂページ８００は、図１４に示すように、１）審査に必要書類を要求する選択項目（図中では「必要な書類」と表示されている）、２）年齢制限を示す情報を要求する選択項目（図中では「年齢制限」と表示されている）、３）審査の方法を示した情報を要求する選択項目（図中では「審査について」と表示されている）、４）カードの紹介情報を要求する選択項目（図中では「×××××Ｃａｒｄ（Ｒ）について」と表示されている）、５）店舗紹介画面に復帰させることを示す選択項目（図中では「店舗詳細へ戻る」と表示されている）、６）ためしに借入診断を行う場合の選択項目（図中では「お試し診断へ」と表示されている）が表示されている。
【００５５】
携帯端末２０ｋは、上記Ｗｅｂページ８００を受信すると、これを表示部に表示する。その後、携帯端末２０ｋは、ユーザの操作により、「必要な書類」を示す項目が選択キーにより選択され、実行キーが押下されると、この項目が選択された旨の情報を、基地局３０ｉを介して店舗案内装置１０に送信する（ステップＳ２３）。
【００５６】
店舗案内装置１０の制御部１１は、上記情報を受信すると、ＷｅｂページＤＢ１５７に記憶されている借入審査に必要な書類の一覧を表示するＷｅｂページ（図示せず）を読み出し、読み出したＷｅｂページを基地局３０ｉを介して携帯端末２０ｋに送信する（ステップＳ２４）。
【００５７】
携帯端末２０ｋは、上記Ｗｅｂページを受信すると、これを表示部に表示する。その後、携帯端末２０ｋは、ユーザの操作により、「年齢制限」を示す項目が選択された旨を、基地局３０ｉを介して店舗案内装置１０に送信する（ステップＳ２５）。
【００５８】
すると、店舗案内装置１０の制御部１１は、借入が可能な年齢を表示するＷｅｂページ（図示せず）をＷｅｂページＤＢ１５７から読み出し、読み出したＷｅｂページを基地局３０ｉを介して携帯端末２０ｋに送信する（ステップＳ２６）。
【００５９】
携帯端末２０ｋは、上記Ｗｅｂページを受信すると、借入が可能な年齢が記述された画面を表示部に表示する。その後、携帯端末２０ｋは、ユーザの操作により、「審査について」を示す項目が選択された旨を、基地局３０ｉを介して店舗案内装置１０に送信する（ステップＳ２７）。
【００６０】
すると、店舗案内装置１０の制御部１１は、借入審査において行われる審査の方法についての内容を表示するＷｅｂページを（図示せず）をＷｅｂページＤＢ１５７から読み出し、読み出したＷｅｂページを基地局３０ｉを介して携帯端末２０ｋに送信する（ステップＳ２８）。
【００６１】
携帯端末２０ｋは、上記Ｗｅｂページを受信すると、これを表示部に表示する。その後、携帯端末２０ｋは、ユーザの操作により、「×××××　Ｃａｒｄ（Ｒ）について」の項目が選択された旨を、基地局３０ｉを介して店舗案内装置１０に送信する（ステップＳ２９）。
【００６２】
すると、店舗案内装置１０の制御部１１は、「×××××　Ｃａｒｄ（Ｒ）について」の説明を表示するＷｅｂページ（図示せず）をＷｅｂページＤＢ１５７から読み出し、読み出したＷｅｂページを基地局３０ｉを介して携帯端末２０ｋに送信する（ステップＳ３０）。
【００６３】
携帯端末２０ｋは、上記Ｗｅｂページを受信すると、これを表示部に表示し、処理を終了する。
【００６４】
なお、携帯端末２０ｋは、借入を行う際の情報を取得したユーザの操作により、「店舗詳細」の表示欄が選択され、実行キーが押下されると、「店舗詳細へ戻る」の表示欄が選択された旨を、基地局３０ｉを介して店舗案内装置１０に送信する。
【００６５】
３）少額資金の借入診断を行う処理について
図６は少額資金の借入診断を行うときの店舗案内装置と携帯端末の動作を示すフローチャートである。
携帯端末２０ｋは、ユーザの操作により、図１４に示すＷｅｂページ８００に表示されている「お試し診断へ」項目が選択キーにより選択され、実行キーが押下されると、「お試し診断へ」項目が選択された旨の情報を、基地局３０ｉを介して店舗案内装置１０に送信する（ステップＳ３１）。
【００６６】
店舗案内装置１０は上記情報を受信すると、少額資金の借入診断を行う際に必要となる入力欄を表示するＷｅｂページ（図示せず）をＷｅｂページＤＢ１５７から読み出し、これを基地局３０ｉを介して携帯端末２０ｋに送信する（ステップＳ３２）。
【００６７】
上記Ｗｅｂページに表示されている入力欄には、年齢入力欄、年収入力欄、及び職種入力欄が表示されている。
【００６８】
携帯端末２０ｋは、上記Ｗｅｂページを受信すると、これを表示部に表示する。その後、携帯端末２０ｋは、ユーザの操作により、年齢入力欄にユーザの年齢が、年収入力欄にユーザの年収が、職種入力欄にユーザの職種が入力され、実行キーが押下されると、これらの入力事項を基地局３０ｉを介して店舗案内装置１０に送信する（ステップＳ３３）。
【００６９】
店舗案内装置１０が上記入力事項を受信すると、店舗案内装置１０の制御部１１は、受信した入力事項を内部記憶部１２に記憶する。次の、制御部１１は、ユーザが借り入れすることを許可するか否かを次のようにして判別する（ステップＳ３４。）。
すなわち、制御部１１は、内部記憶部１２中の債務ＤＢ１５５から自社及び他社からの借入金総額を算出し、算出した借入金総額が所定額未満である場合には借入を許可し、そうでない場合には借入を許可しない。
また、制御部１１は、ユーザの年齢が例えば２０歳以上である場合には借入を許可し、そうでない場合には借入を許可しない。
また、制御部１１は、年収が所定金額以上である場合には借入を許可し、そうでない場合には借入を許可しない。
また、制御部１１は、職種が無職でない場合には借入を許可し、無職である場合には借入を許可しない。
制御部１１は、上記の条件のうちひとつでも借入条件を満たしていないと判断した場合には、借入を認めないものと判別し（ステップＳ３４；ＮＯ）、ユーザに対して貸し付けができない旨を表示するＷｅｂページ（図示せず）を内部記憶部１２中のＷｅｂページＤＢ１５７から読み出し、読み出したＷｅｂページを携帯端末２０ｋに送信する（ステップＳ３５）。
【００７０】
一方、制御部１１は、上記条件を全てみたしていると判別すると（ステップＳ３４；ＹＥＳ）、内部記憶部１２に記憶されている入力事項の中からユーザの年齢を読み出し、審査基準ファイル１５６を参照して年齢に関しての借入限度額を読み出し。次に、制御部１１は、内部記憶部１２に記憶されている入力事項の中からユーザの年収を読み出し、審査基準ファイル１５６を参照して年収に関しての借入限度額を読み出す。同様にして、制御部１１は、職種別に関しての借入限度額を読み出す（ステップＳ３６）。
【００７１】
続いて、店舗案内装置１０の制御部１１は、読み出した年齢、年収、及び職種別の借入限度額のうち、最も低い借入金額をユーザの借入限度額と決定する（ステップＳ３７）。その後、制御部１１は、決定したユーザの借入限度額を表示するＷｅｂページを生成し、生成したＷｅｂページを、基地局３０ｉを介して携帯端末２０ｋに送信する（ステップＳ３８）。
【００７２】
携帯端末２０ｋは、上記Ｗｅｂページを受信すると、これを表示部に表示し（ステップＳ３９）、処理を終了する。
【００７３】
この実施形態の店舗案内装置１０によれば、店舗案内装置１０がユーザから店舗の案内の依頼を受信すると、店舗の案内の依頼を中継した基地局の通信圏に存在する店舗名を、ユーザの携帯端末２０ｋに送信したのち、ユーザが指定した店舗名の案内をユーザの携帯端末２０ｋに送信するので、少額資金を借りることができる店舗を携帯端末２０ｋを用いて簡単に知ることができる。
【００７４】
また、この店舗案内装置１０によれば、店舗案内装置１０が借入診断を行うために必要な情報を入力する入力欄を表示する診断入力情報をユーザの携帯端末２０ｋに送信したのち、借入可能な融資額を診断するための診断情報を参照して、ユーザからの回答から融資限度額を決定するので、少額資金の借り入れ審査を迅速に行うことができる。
【００７５】
また、この店舗案内装置１０によれば、店舗案内装置１０が受信したユーザに提供する融資に関する情報を読み出し、読み出した融資に関する情報をユーザの携帯端末２０ｋに送信するので、少額資金の借り入れ手続を短縮することができる。
【００７６】
この実施形態に係る店舗案内装置１０では、注意事項をユーザに提供する処理において、ユーザに提供するサービス項目として「必要な書類」、「年齢制限」、「審査について」及び「×××××　Ｃａｒｄ（Ｒ）について」の項目について述べているが、これらのサービス項目は、１例をあげたものにすぎず、これら以外としてユーザが希望するものが他にある場合には、それを、また、上記サービス項目とともに採用してもよい。
【００７７】
また、この実施形態に係る店舗案内装置１０では、お試し診断処理において、その診断項目として「年齢」、「収入」及び「職種」の項目について述べているが、これら以外として、またこれらに含めてユーザの「性別」、ユーザの「資産」等借入診断を適正に行う項目を採用してもよい。
【００７８】
【発明の効果】
以上、説明したように、この発明によれば、資金を借りることができる店舗を携帯端末を用いて簡単に知ることができる。
【図面の簡単な説明】
【図１】この発明の実施の形態に係る店舗案内装置の構成を示すブロック図である。
【図２】実施形態に係る店舗案内装置の使用形態を示す図である。
【図３】（ａ）店舗形態データの例を示す図である。
（ｂ）店舗名データの例を示す図である。
（ｃ）顧客データの例を示す図である。
（ｄ）債務データの例を示す図である。
（ｅ）審査基準データの例を示す図である。
【図４】少額資金の借入を希望するユーザに店舗を案内するときの実施形態に係る店舗案内装置と携帯端末との動作を示すフローチャートである
【図５】初めて少額資金の借入を行うときに必要となる注意事項をユーザに提供するときの実施形態に係る店舗案内装置及び携帯端末の動作を示すフローチャートである。
【図６】少額資金の借入診断を行うときの実施形態に係る店舗案内装置と携帯端末の動作を示すフローチャートである。
【図７】店舗検索する際に使用されるＷｅｂページの例を示す図である。
【図８】店舗検索する際に使用されるＷｅｂページの例を示す図である。
【図９】店舗検索する際に使用されるＷｅｂページの例を示す図である。
【図１０】店舗検索する際に使用されるＷｅｂページの例を示す図である。
【図１１】店舗検索する際に使用されるＷｅｂページの例を示す図である。
【図１２】店舗検索する際に使用されるＷｅｂページの例を示す図である。
【図１３】店舗検索する際に使用されるＷｅｂページの例を示す図である。
【図１４】初めて少額資金の借入を行うときに必要となる注意事項をユーザに提供する際、及び少額資金の借入診断を行う際に使用されるＷｅｂページの例を示す図である。
【符号の説明】
１０　　店舗案内装置
１１　　制御部
１２　　内部記憶部
１３　　入力部
１４　　表示部
１５　　外部記憶部
１５１　店舗ＤＢ
１５２　基地局ファイル
１５３　地図ＤＢ
１５４　顧客ＤＢ
１５５　債務ＤＢ
１５６　審査基準ファイル
１５７　ＷｅｂページＤＢ
１６　　通信制御部
２０ｋ　携帯端末
３０ｉ　基地局
４０　　電話網
【図１】
2004046378.tif 000003
【図２】
2004046378.tif 000004
【図３】
2004046378.tif 000005
【図４】
2004046378.tif 000006
【図５】
2004046378.tif 000007
【図６】
2004046378.tif 000008
【図７】
2004046378.tif 000009
【図８】
2004046378.tif 000010
【図９】
2004046378.tif 000011
【図１０】
2004046378.tif 000012
【図１１】
2004046378.tif 000013
【図１２】
2004046378.tif 000014
【図１３】
2004046378.tif 000015
【図１４】
2004046378.tif 000016